(57)【要約】      （修正有）【課題】マルチモード通信デバイスのための改良された呼設定手順の提供。【解決手段】無線通信システムには、プロバイダ設備と各々電話通信モードおよびディスパッチ通信モードで操作可能な少なくとも２つの加入者無線装置とが含まれる。プロバイダ設備は、要求された通信モードと目標の加入者無線装置を識別するモード特定識別子とを含む、加入者無線装置からの通信要求を受信するように操作可能である。プロバイダ設備はモード特定識別子を要求通信モードと比較し、一致しない場合、各加入者装置に対して少なくとも２つのモード特定識別子を格納するデータベースを検索し、受信したモード特定識別子を用いて、要求通信モードに一致するモード特定識別子を読込み、要求通信モードに一致するモード特定識別子を用いて、発信元の加入者無線装置と目標の加入者無線装置との間の通信を要求通信モードに設定する。【選択図】図１
2006042348.tif 000002
【特許請求の範囲】
【請求項１】
複数の利用可能な無線通信モードを通じて複数の加入者装置間の無線接続を確立する双方向無線通信システムにおいて、
１つ以上の第１の無線加入者装置から、第１の双方向無線通信モードと、１つ以上の第２の無線加入者装置のモード特定宛先呼番号とを含む発呼要求を受信するトランシーバと、
１つ以上の追加のモード特定宛先呼番号を発見するためにモード特定宛先呼番号により検索可能なデータベースと、
受信したモード特定宛先呼番号を第１の双方向無線通信モードと比較するように操作可能な比較器とを備え、
追加のモード特定宛先呼番号を用いて第１の双方向無線通信モードを通じて第２の無線加入者装置へ発呼要求を発信する双方向無線通信システム。
【請求項２】
モード特定宛先呼番号の各々は電話番号および個人ディスパッチ識別子のうちの１つである請求項１に記載の双方向無線通信システム。
【請求項３】
第１の双方向無線通信モードはディスパッチ・モードであり、モード特定宛先呼番号は第２の無線加入者装置の電話番号である請求項１に記載の双方向無線通信システム。
【請求項４】
第１の双方向無線通信モードは電話モードであり、モード特定宛先呼番号は第２の無線加入者装置の個人ディスパッチ識別子である請求項１に記載の双方向無線通信システム。
【請求項５】
双方向無線通信システムが発信した発呼要求に第１の無線加入者装置を識別する識別子を含める工程をさらに有する請求項１に記載の双方向無線通信システム。
【請求項６】
第１の無線加入者装置へ追加のモード特定宛先呼番号を発信する工程をさらに有する請求項１に記載の双方向無線通信システム。
【請求項７】
第１の双方向無線通信モードは、符号分割多元接続（ＣＤＭＡ）、時分割多元接続（ＴＤＭＡ）、ワイドバンドＣＤＭＡ（ＷＣＤＭＡ）、グローバル・システム・フォー・モバイル・コミュニケーションズ（ＧＳＭ）、時分割多重（ＴＤＭ）、ボイス・オーバーＩＰ（ＶｏＩＰ）、アイ・ブロードキャスト、ＣＤＭＡプッシュ・ツー・トーク（ＰＴＴ）、インターネット・プロトコル（ＩＰ）、次世代インターネット・プロトコル（ＩＰｎｇ）、無線ローカル・エリア・ネットワーク（ＷＬＡＮ）、モト・トーク（MotoTalk）、相互接続、ショート・メッセージ・サービス（ＳＭＳ）、インスタント・メッセージング（Instant Messaging ）、ビデオ会議（Video conferencing）、電子メール、およびマルチメディア・メッセージング・サービス（ＭＭＳ）から選択される請求項１に記載の双方向無線通信システム。
【請求項８】
第２の無線加入者装置において第１の双方向無線通信モードをサポートするためのサービスを開始し、第１の無線加入者装置と第２の無線加入者装置との間の通信を可能とする請求項１に記載の双方向無線通信システム。
【請求項９】
ピア・ツー・ピア・ネットワークにおける双方向無線デバイスにおいて、
ピア・ツー・ピア通信モードである第１の通信モードを通じて１つ以上の第２の双方向無線デバイスへ第２の通信モードに関連するネットワーク識別子の問い合わせを送信するためのトランシーバと、
第２の双方向無線デバイスとの接続が確立されたか否かを判定するための比較器と、接続が確立された場合、第２の双方向無線デバイスから第２の通信モードに関連するネット
ワーク識別子を受信することと、
第２の通信モードを通じて用いるために第２の双方向無線デバイスから受信したネットワーク識別子を記憶するためのメモリ・デバイスとを備える双方向無線デバイス。
【請求項１０】
ネットワーク識別子の問い合わせは名前、アドレス、および会社のうちの少なくとも１つを含み、メモリ・デバイスはネットワーク識別子に従って受信したこの情報のうちの少なくとも一部を記憶する請求項１１に記載の双方向無線デバイス。
【発明の詳細な説明】
【技術分野】
【０００１】
本発明は、一般に無線通信システムに関し、より詳細には、複合的な通信モードをサポートする加入者装置を有するシステムに関する。
【背景技術】
【０００２】
無線周波数搬送波を利用する無線通信システムは、当該技術分野ではよく知られている。そのようなシステムによって、セルラー電話サービス、中継線ディスパッチ・サービス（trunked dispatch service）、ページング・サービスなどのサービスが提供される。最近では、単一の無線通信システムで複合的なサービスが提供される傾向にある。一部のシステムでは、特に、電話の相互接続（interconnect）とディスパッチ・サービスとの組合せ、または電話の相互接続とページング・サービスとの組合せを提供する加入者装置がサポートされる。そのようなシステムの開発は自然に発展してきたので、異なる特性を有する新たなサービスが既存のシステムに継ぎ合わされていることがしばしばある。この結果、各サービスは、識別子、開始シーケンスなどを含む異なるアクセス方式を有する傾向にある。
【０００３】
現行では、加入者装置の電話機能およびディスパッチ機能を利用するために、発呼者は、以下のように少なくとも２つの番号を知っている必要がある。電話呼を試みる場合、ユーザは目標の通信相手の電話番号を入力し、「送信（ｓｅｎｄ）」ボタンを押下して電話呼モードを開始する。ディスパッチ・モードで個人呼を開始する場合、ユーザは加入者装置の個人ディスパッチ識別子を入力し、プッシュ・ツー・トーク（push-to-talk）（「ＰＴＴ」）ボタンを押下してディスパッチ・モードの呼を開始する。
【発明の開示】
【発明が解決しようとする課題】
【０００４】
現行で利用可能なシステムでは、電話番号として個人ディスパッチ識別子を入力した場合、その呼は失敗する。同じく、個人ディスパッチ識別子として電話番号を入力した場合も、その呼は失敗する。
【０００５】
通信モードにかかわらず、加入者装置間の通信が促進されることが望ましい。したがって、マルチ・モード通信デバイスのための改良された呼設定手順が必要である。
【課題を解決するための手段】
【０００６】
本発明では、電話通信モードおよびディスパッチ通信モードの両方を有する無線通信システムの加入者装置と通信するための、簡略な発呼手順が提供される。加入者装置において、目標の加入者装置に対する電話番号識別子または個人ディスパッチ識別子を入力し、続いて特定の双方向無線通信モードを選択することによって、発呼要求が開始される。双方向無線通信モードの各々は特定の識別子フォーマットを有する。選択された双方向無線通信モードと提供された識別子とは、無線通信システム内の通信サービスを管理するプロバイダ設備へ無線サービスの要求によって通信される。プロバイダ設備において、目標の加入者装置に対する無線サービスの要求が受信され、識別子は双方向無線通信モードと比較される。識別子が双方向無線通信モードに一致した場合、目標の加入者装置において所望の双方向無線通信モードが使用可能となり、発信元の加入者装置と目標の加入者装置との間の通信が確立される。
【０００７】
識別子が双方向無線通信モードに一致しない場合、プロバイダ設備によって、要求された双方向無線通信モードに対する目標の加入者装置に割り当てられた識別子を照会するた
めに、モード特定宛先呼番号を用いてデータベースが検索され、目標の加入者装置に対して所望の双方向無線通信モードが使用可能となり、発信元の加入者装置と目標の加入者装置との間の通信が確立される。追加の特徴として、将来の使用のため発信元の加入者装置のデータベース内に記憶するように、プロバイダ設備が識別子を発信元の加入者装置へ発信することが可能である。
【０００８】
プロバイダ設備によって、受信した個人アクセス識別子に応じて電話番号識別子がデータベースから照会されることの代替として、音声チャネルを通じてデータを通信するアイ・ブロードキャスト（iBroadcast）などのプロトコルを用いて、目標の加入者装置自身に電話番号識別子を直接問い合わせることが可能である。
【発明を実施するための最良の形態】
【０００９】
同様の参照番号が個々の図を通じて同一または機能的に類似の要素を参照している添付の図面は、以下の詳細な説明と共に明細書に組み込まれその一部を形成しており、さらに種々の実施態様を図示し、全て本発明に従う種々の原理および利点を説明するために働く。
【００１０】
新規であると思われる本発明の特徴を規定する特許請求の範囲によって本明細書を結んでいるが、同様の参照番号が引き継がれている図面と共に以下の説明を考慮することによって、本発明はさらによく理解されると思われる。
【００１１】
システムおよびネットワーク概観：
図１には、本発明による無線通信システム１００のブロック図を示す。無線通信システム１００にはプロバイダ設備１１８が含まれ、プロバイダ設備１１８は、公衆電話網１１６および加入者装置１２８，１３０に結合している。プロバイダ設備１１８には、アクセス制御ゲートウェイ１２２，第１および第２の通信プロセッサ１１４，１２０，通信チャネル１２６，および基地局１２４が含まれる。好適な実施態様では、当該技術分野で公知の手法によって、アクセス制御ゲートウェイ１２２は加入者装置１２８，１３０に対する通信管理およびアクセス制御を行う。第１の通信プロセッサ１１４は、公衆電話網１１６およびアクセス制御ゲートウェイ１２２と接続し、電話の双方向無線通信モードを要求する、または電話の双方向無線通信モードで通信を受信する特定の加入者装置１２８，１３０へのメッセージ、および１２８，１３０からのメッセージを管理および配信するためのゲートウェイを提供する。これらのメッセージは、公衆電話網１１６を介して無線通信システムの外部の送信元から取得されてもよく、内部的にサービス提供された加入者装置１２８，１３０、または他の設備から入手されてもよい。第２の通信プロセッサ１２０は、公衆電話網１１６にアクセスすることなく、発信元の加入者および目標の加入者の間に直接的な通信を提供するために用いられる。基地局１２４は、アクセス制御ゲートウェイ１２２に結合しており、特定の地理的な領域で加入者装置にサービス提供するため、通常は地理的に分散されている。加入者装置１２８，１３０は、基地局１２４によって確立された無線通信リンク１３２，１３４を介してアクセス制御ゲートウェイ１２２と接続する、無線通信デバイスである。加入者装置１２８，１３０は、携帯可能すなわち移動体の無線電話であってよく、プロバイダ設備１１８と共に作用して、電話の相互接続、ショート・メッセージ・サービス（short message service ）、ディスパッチすなわちインスタント・コンファレンシング（instant conferencing）、サーキット・データ（circuit data）、パケット・データなどのサービス、およびそれらの組合せ、並びに他のデータ・サービスをユーザに提供する。
【００１２】
加入者装置：
図２には、本発明による、無線加入者装置１２８などの無線通信デバイスのブロック図を示す。他の加入者装置１３０も同様に構成される。無線通信デバイス１２８は、好適に
は、少なくとも電話の相互接続およびディスパッチ・サービスを提供するように操作可能な、双方向無線または無線電話である。無線通信デバイス１２８では、制御器２１０が、メモリ・デバイス２８０，発信器２４０，および受信機２５０に結合している。発信器２４０および受信機２５０は、アンテナ・スイッチ２６０を介してアンテナ２７０に結合している。発信操作では、制御器２１０がアンテナ・スイッチ２６０を設定して、発信器２４０をアンテナ２７０に結合させる。同様に受信操作では、制御器２１０がアンテナ・スイッチ２６０を介して、アンテナ２７０を受信機２５０に結合させる。受信および発信操作は、メモリ２８０に記憶された命令の下に実行される。無線通信デバイス１２８には、無線機能にアクセスするためのユーザ・インタフェースを共に提供する、ディスプレイ２２０およびキーパッド２３０も含まれる。さらにメモリ２８０には、ディスパッチ・モードの個人アクセス識別子２８６および電話モードのアクセス識別子２８８の情報と、ディスパッチ・モード２８２および電話の相互接続モード２８４など、双方向無線通信モードの情報とが含まれる。無線通信デバイス１２８は、特に、別の加入者装置との通信のためのディスパッチ・モードおよび電話の相互接続モードから、特定の双方向無線通信モードを選択するように操作可能である。また、無線通信デバイス１２８は、呼設定を要求する時、選択した双方向無線通信モードと特定のアクセス識別子とをプロバイダ設備へ発信するようにも操作可能である。
【００１３】
呼設定メッセージ：
図３には、識別子を含む設定メッセージ３００を有する発呼要求の構造を示す。ユーザが識別子を入力し、続いて、双方向無線通信モードを選択し、サービスを要求する時、図３のメッセージ・フォーマットに示した適切なフィールドは全て加入者装置によって満たされる。各メッセージは、プロトコル・ディスクリミネータ（Protocol Discriminator）３０４，トランザクション識別子３０６，メッセージ種別３０８，およびＢＣＤ着番号（Called Party BCD Number ）（電話アクセス識別子）３０２または個人ＩＤ（個人アクセス識別子）３１０から成る。加えて、最適情報要素（Optional Information Element）（図示せず）およびパッド・バイト数３１２が存在してもよい。パッド・バイト数３１２は、特定長を超えるメッセージをパッドが必要とするように、＄００と等しい（二進数は接頭子「％」で示し、十六進数は接頭子「＄」で示す）。
【００１４】
ビット順および番号付与：
各オクテットのビットには、１〜８の番号が付与される。図３の最も右の列にはオクテット番号を示す。より大きな番号のビットが、より重要である。フィールドの範囲が１オクテットより大きい場合、フィールドで最も重要なビットは、オクテット番号が最小かつビット番号が最大のビットであり、最も重要でないビットは、オクテット番号が最大かつビット番号が最小のビットである。
【００１５】
プロトコル・ディスクリミネータ：
プロトコル・ディスクリミネータ３０４は、種々のメッセージ・プロトコル・エンティティによって用いられるメッセージ・セットを区別するために用いられる。表１には、プロトコル・ディスクリミネータの値に対応する種々のエンティティの一覧を示す。
【００１６】
【表１】
2006042348.tif 000003
トランザクション識別子：
トランザクション識別子３０６は、単一のメッセージ・サービス内で同時に存在するアクティビティを区別するために、一部のプロトコル・エンティティで用いられる。図３に示したように、トランザクション識別子３０６は、トランザクション識別子フラグ３１４およびトランザクション識別子値３１６から成る。トランザクション識別子値は、トランザクションを開始する側のインタフェースに選択され割り当てられる。トランザクションの開始時には、空きのトランザクション識別子値がトランザクションに選択され割り当てられ、トランザクションの寿命の間、その値が保持される。トランザクションの終了時、関連するトランザクション識別子値は解放され、また別のトランザクションに割当可能となる。
【００１７】
トランザクション識別子フラグ３１４は、両方の側のインタフェースが異なるトランザクションに対して同じトランザクション識別子値３１６を選択する場合に生じ得る、アンビギュイティ（ambiguity ）を防止するために用いられる。トランザクション識別子フラグ３１４によって、いずれの側のインタフェースがトランザクション識別子値３１６を選択したかが識別される。
【００１８】
メッセージ種別：
メッセージ種別３０８およびプロトコル・ディスクリミネータ３０４によって、特定のメッセージの機能が識別される。メッセージ種別３０８は、発信元の加入者装置によって要求されている双方向無線通信モードが電話であるかディスパッチであるかを、プロバイダ設備に示すために用いられる。
【００１９】
プロバイダ設備：
図４には、プロバイダ設備１１８の重要な態様を強調したブロック図を示す。この図には、第１の通信プロセッサ１１４および第２の通信プロセッサ１２０が含まれる。第１の通信プロセッサ１１４には、ディスパッチ・データベース４０２および電話データベース４０４が提供されている。同様に、第２の通信プロセッサ１２０には、ディスパッチ・データベース４０６および電話データベース４０８が提供されている。また、プロセッサ１１４，１２０には各々、プロバイダ設備１１８における管理および制御機能を実装するハードウェアおよびソフトウェアが含まれる。基地局１２４が加入者装置からサービスの要求を受信すると、その要求はアクセス制御ゲートウェイ１２２に送信され、アクセス制御ゲートウェイ１２２は、ユーザが要求した双方向無線通信モードに従って、第１の通信プロセッサ１１４または第２の通信プロセッサ１２０へ、その要求を配信する。要求された双方向無線通信モードが電話モードの場合、呼は第１の通信プロセッサ１１４へ配信され
る。要求された双方向無線通信モードがディスパッチ・モードの場合、呼は第２の通信プロセッサ１２０へ配信される。プロセッサ１１４，１２０の各々には、ディスパッチ・データベース４０２が提供されており、このデータベースには、加入者装置１２８，１３０のセットに対するディスパッチ操作可能性情報が格納されている。この情報には、個人アクセス識別子を格納する各加入者装置に対するレコードが含まれる。また、プロセッサ１１４，１２０には各々、電話データベース４０４も提供されており、このデータベースには、電話サービス能力を有する加入者装置のセットに対する電話操作可能性情報が格納されている。電話データベース４０４には、電話アクセス識別子が格納されている。好適な実施態様では、電話アクセス識別子２８８は、その加入者装置に対してユニークな番号を維持するために必要な地域コードなど任意の必要な地理的コードを含む、電話番号のフォーマットを有する。
【００２０】
加入者装置における手順：
図５には、別の加入者装置との無線サービスまたは通信の要求の開始時に、通信デバイス１２８，１３０において用いられる手順５００の流れ図を示す。工程５１０にて、通信デバイスは、目標の加入者装置に対するモード特定アクセス識別子を取得する。このアクセス識別子によって、利用可能な双方向無線通信モードと一貫するフォーマットである目標の加入者装置が識別されるので、このアクセス識別子をモード特定アクセス識別子と称する。電話モードでは、好適には、アクセス識別子は、地域コード、国コードなど、任意の必要な地理的明示を伴う電話番号である。ディスパッチ・モードでは、アクセス識別子は、目標の加入者装置へサービスの要求を配信するためにシステムが解釈することが可能な、任意のフォーマットであることが可能である。工程５２０にて、ユーザは通信デバイス１２８，１３０を操作して、別の加入者装置との通信用にサポートされる双方向無線通信モードの中から、特定の双方向無線通信モードを選択する。続いて工程５３０にて、通信デバイスは双方向無線通信モードとアクセス識別子とを比較する。アクセス識別子が要求されたモード以外の双方向無線通信モードであった場合、工程５４０にて、デバイスはモードに一致する識別子に対して内部データベース（「電話帳（phone book）」）を検索する。比較器の使用などによって、モードに一致する識別子が確認された場合、工程５５０にて、入力された識別子が一致した識別子で置換され、選択した双方向無線通信モードに従って無線通信チャネルでプロバイダ設備へ発信される。一致する識別子が確認されなかった場合、工程５５０にて、一致していない識別子が、選択した双方向無線通信モードに従って無線通信チャネルでプロバイダ設備へ発信される。
【００２１】
非ピア・ツー・ピア実施態様における手順：
図６には、本発明による特定の加入者装置との通信の要求を処理するためにプロバイダ設備において用いられる手順６００の流れ図を示す。工程６１０にて、プロバイダ設備は無線サービスの要求を受信するが、この要求には、アクセス識別子と目標の加入者装置に対して好適な双方向無線通信モードが含まれる。一実施態様では、この要求は、加入者装置において入手される時、無線通信チャネルを介して受信される。しかしながら、特に、この要求の発信元が無線通信システムの外部である時には、この要求は有線の通信リンクを介して送信されてもよい。工程６２０にて、プロバイダ設備は、アクセス識別子を要求された双方向無線通信モードと比較する。識別子がモードに一致しない場合、工程６３０にて、プロバイダ設備がモード特定宛先呼番号をキーとして用いて加入者装置情報のデータベースにアクセスする。工程６３０にて、比較器などによって、識別子が要求されたモードに一致することが分かった場合、または、データベース検索の必要なしで、受信したモード特定宛先呼番号が要求されたモードに一致する場合、工程６４０にて、プロバイダ設備は好適な双方向無線通信モードが目標の加入者装置において利用可能か否かを判定し、好適な双方向無線通信モードが目標の加入者装置において利用可能でない時、工程６５０にて、無線サービスの要求を拒否する。工程６４０にて、特定の双方向無線通信モードが目標の加入者装置において利用可能である時、工程６６０にて、プロバイダ設備は目標
の加入者装置へアクセスし、加入者装置において双方向無線通信モードをサポートするためのサービスを開始する。通常、プロバイダ設備は加入者装置において双方向無線通信モードを使用することが可能であり、工程６７０にて、その加入者装置との通信が確立される。
【００２２】
図７には、本発明による随意の工程を伴う、図６に示した手順に類似の手順７００の流れ図を示す。工程６２０にて、要求された双方向無線通信モードに識別子が一致することをプロバイダ設備が判定した後、また、工程６３０にて、要求された双方向無線通信モードに一致する記憶された識別子にプロバイダ設備がアクセスした後、工程７１０にて、要求している加入者装置による記憶および後の利用のため、要求された双方向無線通信モードに一致する識別子が、要求している加入者装置へ発信される。追加の特徴として、工程６４０にて、プロバイダ設備が目標の加入者装置におけるサービスを要求する時、発信元の加入者装置を識別する識別子が目標の加入者装置へ発信されることも可能である。
【００２３】
図９，１０には、上述の発呼手順を図解的に示した。両図では、電話モードのアクセス識別子が発信元の加入者装置に入力され、プッシュ・ツー・トーク・ボタンが押下されて、ディスパッチ双方向無線通信モードにてプロバイダ設備へ通信要求が発信される。図９は、図７の流れ図に対応しており、この場合、宛先の加入者装置の個人通信識別子は発信元の加入者装置へ送信され、記憶される。
【００２４】
ピア・ツー・ピア実施態様における手順：
アイ・ブロードキャストなど、音声チャネルを通じてデータを通信するプロトコルは、インターネットを介してユーザが互いに通信することが可能なウェブ・ベースのサービスである。移動体のユーザは、公衆電話網１１６を介してインターネットにアクセスし、音声チャネルを通じてデータを通信するためのプロトコルを通じて通信することが可能である。図８には、本発明による、音声チャネルを通じてデータを通信するプロトコルを用いて、発信元の装置と目標の装置との間でピア・ツー・ピア通信（peer-to-peer communication）するための手順８００の流れ図を示す。工程８０２にて、ユーザは目標の加入者装置に対する個人アクセス識別子を入力する。これに代えて、電話機が一群の加入者に対するアクセス識別子を格納するデータベース（「電話帳」）を備えることが可能であり、ユーザは単に一覧から加入者の名前を選択することによって、目標の加入者のアクセス識別子を入力することが可能である。続いて工程８０４にて、ユーザは電話機を電話の双方向無線通信モードとする。工程８０６にて、電話機はローカルの電話帳に電話アクセス識別子を問い合わせる。電話アクセス識別子が発見された場合、工程８０８にて、加入者装置は電話アクセス識別子を発信し、電話の双方向無線通信モードでプロバイダ設備にサービスを要求する。電話アクセス識別子がローカルの電話帳に発見されない場合、工程８１０にて、加入者装置は音声チャネルを通じて通信するプロトコルを要求する。音声チャネルを通じたデータ通信が確立されると、工程８１２にて、発信側装置（originator）は、目標の加入者装置にネットワーク識別子を求める問い合わせを行う、すなわち、割り当てられた電話アクセス識別子へアクセスするために目標の加入者装置へ要求を送信する。加入者装置は、１つの加入者装置に対して、全ての要求側装置（requester ）を情報を共有すること、全ての要求側装置と情報を共有しないこと、または所定の特定の群に属する要求側装置と情報を共有することを可能とするような、共有アクセス許可レベルの設定を備えることが可能である。工程８１４にて、目標の加入者装置は、自身の電話アクセス識別子が発信元の加入者装置と共有可能であることを確認する。情報が共有可能である場合、工程８１６にて、音声チャネルを通じてデータを通信するプロトコルを介して、電話アクセス識別子を発信元の加入者装置へ発信することが可能である。工程８１６にて送信された電話アクセス識別子に従って、追加の情報を発信することが可能である。例えば、名刺に見られるのと同様のユーザ情報を格納するデータ一式である、ブイ・カード（VCard ）（登録商標）を送信することが可能である。そのような情報の例には、名前、アドレス、電
話番号、電子メール・アドレス、勤務場所、名称などが含まれる。
【００２５】
電話アクセス識別子を発信元の加入者装置と共有することが不可能な場合、工程８１８にて、音声チャネルを通じてデータを通信するプロトコルを介して、例えば、「番号非共有（number not shared ）」などを通信するメッセージが、発信元の加入者装置へ送信される。電話アクセス識別子が共有される場合、工程８０８にて、発信元の加入者装置は、電話の双方向無線通信モードを介した目標の加入者装置との接続をプロバイダ設備に要求する。
【００２６】
図１０は図８の流れ図に示した手順に対応しており、個人ＩＤは発信元の加入者装置へ発信され、記憶される。また、図１０には、本発明の追加の随意の特徴も示す。プロバイダ設備１１８が、要求された双方向無線通信モードを宛先の加入者装置にサポートするためのサービスを開始すると、発信元の加入者装置の個人アクセス識別子および電話アクセス識別子が宛先の加入者装置へ発信され、宛先の加入者装置は、いずれの番号を着呼番号として表示することも可能である。
【００２７】
通信モード：
上述にて幾つかの双方向無線通信モードを引用した。先に引用したモードや上述の通信に利用可能な他の幾つかのモードの概要説明を、以下に示す。
【００２８】
ＧＳＭ：グローバル・システム・フォー・モバイル・コミュニケーションズ（Global System for Mobile Communications ）では、狭帯域のＴＤＭＡ（以下で説明）が用いられ、同じ無線周波数で同時に８つの呼が可能である。ＧＳＭは主要なディジタル・セルラー・システムのうちの１つである。
【００２９】
ＴＤＭＡ：時分割多元接続（Time Division Multiple Access ）は、時分割多重（ＴＤＭ）を用いてディジタル無線サービスを配信する技術である。ＴＤＭＡは、１つの無線周波数をタイムスロットに分割し、そのタイムスロットに複数の呼を割り当てることによって作用する。このシステムによって、単一の周波数に複数の同時に存在するデータ・チャネルをサポートする性能が与えられる。
【００３０】
ＣＤＭＡ：符号分割多元接続（Code-Division Multiple Access ）はスペクトラム拡散技術を用いたディジタル・セルラー技術である。ＴＤＭＡを用いるＧＳＭシステムと異なり、ＣＤＭＡでは特定の周波数を各ユーザに割り当てず、代わりに、チャネル毎に利用可能なスペクトラムを完全に用いる。個々の会話は、擬似ランダム・ディジタル・シーケンスを用いて符号化される。
【００３１】
ＷＣＤＭＡ：ワイドバンド（Wideband）ＣＤＭＡは、ＣＤＭＡより高速なデータ速度を提供する収容力を有する、高速な第３世代移動体無線技術である。ＷＣＤＭＡでは、音声、映像、データ、および画像発信において、２Ｍｂｐｓに達するまでの速度が可能である。
【００３２】
ＴＤＭ：時分割多重（Time Division Multiplexing）は、多重化の１つの種類であり、各データ・ストリームを異なるタイム・スロットのセットに割り当てることによって、データ・ストリームを組み合わせる。ＴＤＭは、単一の発信チャネルを通じて固定シーケンスのタイム・スロットを繰返し発信する。
【００３３】
ＩＰｎｇ：次世代インターネット・プロトコル（Internet Protocol next generation ）は、インターネット・プロトコル（ＩＰ）の１つのバージョンであり、ＩＰバージョン４を置き換えるために、ＩＥＴＦ標準委員会において検討された。このプロトコルは公式
にはＩＰｖ６と称され、ｖ６は、バージョン６を表す。
【００３４】
ＩＰ：インターネット・プロトコルは、データグラムとも呼ばれるパケットのフォーマットと、アドレス解決（addressing）スキームとを指定する。大抵のネットワークでは、伝送制御プロトコル（Transmission Control Protocol ）（ＴＣＰ）と呼ばれる高次のプロトコルと、ＩＰを組み合せて、宛先と送信元との間の仮想接続を確立する。
【００３５】
ＷＬＡＮ：無線ローカル・エリア・ネットワークはネットワークの１つの種類であり、ネットワーク・ノード間の通信に、配線ではなく無線波が用いられる。
ＳＭＳ：ショート・メッセージ・サービス（Short Message Service ）では、移動体電話機、ファックス機器、およびＩＰアドレスのうちの少なくとも１つにおいて、短い文字メッセージを伝送する。メッセージは英数字で１６０文字までである必要があり、画像すなわちグラフィックスを含まない。メッセージは、送信されると、ショート・メッセージ・サービス・センター（ＳＭＳＣ）に受信され、続いてＳＭＳＣによって、適切な移動体デバイスへ送信される必要がある。このため、ＳＭＳＣはＳＭＳ要求をホーム・ロケーション・レジスタ（ＨＬＲ）へ送信し、ローミング（roaming ）している顧客を発見する。ＨＬＲは、要求を受信すると、ＳＭＳＣへ加入者の状態、すなわち、１）動作中か否か、２）加入者がローミングしている場所、を応答する。
【００３６】
ＭＭＳ：マルチメディア・メッセージ・サービス（Multimedia Message Service）は、ＷＡＰプロトコルを用い、無線ネットワークを通じて、グラフィックス、映像クリップ、音声ファイル、および短い文字メッセージを発信する、貯蔵・転送方法である。ＭＭＳでは、電子メールのアドレス解決もサポートされているので、デバイスが電子メール・アドレスに直接電子メールを送信することも可能である。ＭＭＳの最も一般的な用途は、移動体電話機間の通信である。
【００３７】
しかしながら、ＭＭＳは、電子メールとは異なる。ＭＭＳはマルチメディア・メッセージングの考えに基づく。メッセージのプレゼンテーションは、画像、音声、および文字が単一のメッセージ１つに所定の配列で表示されるように、プレゼンテーション・ファイルに符号化される。ＭＭＳでは、電子メールでサポートされているような、添付（attachment）はサポートされていない。エンド・ユーザには、ＭＭＳはＳＭＳと同様に見える。
【００３８】
ＶｏＩＰ：ボイス・オーバー・インターネット・プロトコル（Voice over Internet Protocol）は、ＰＳＴＮにおける従来的なサーキット伝送ではなくＩＰを用いる音声データのパケット送信によって、電話呼における伝送媒体としてインターネットを用いることを可能とする、ハードウェアおよびソフトウェアの１つのカテゴリである。電話呼におけるこの伝送方法には、インターネット・アクセスに対するユーザの支払いより多い追加の料金を回避するという利点が存在する。
【００３９】
本発明は、従来技術のレコードを超える重要な利点を提供する。ユーザに選択された実際の双方向無線通信モードにかかわらず、無線通信システム内で加入者装置をユニークに識別するモード特定アクセス識別子を用いて、特定の加入者装置への通信が可能である。このため、特定の加入者装置との通信が所望される時、双方向無線通信モードにかからわず、単一のアクセス識別子が用いられてよい。結果として、効率的でかつ限定の少ない手法で、通信サービスを提供することが可能である。
【００４０】
本発明の好適な実施態様を図示および説明してきたが、本発明がそれらに限定されないことは明らかである。添付の特許請求の範囲によって規定される本発明の精神および範囲から逸脱することなく、当業者には、種々の修正、変更、変形、置換、および均等物が想到されるであろう。
【図面の簡単な説明】
【００４１】
【図１】本発明による無線通信システムのブロック図。
【図２】本発明による図１のシステム内で動作する無線通信デバイスのブロック図。
【図３】本発明による呼設定メッセージ構造の図。
【図４】本発明による図１の無線通信システム内のプロバイダ設備の重要な機能ブロックを強調したブロック図。
【図５】本発明による図２の無線通信デバイスの手順の流れ図。
【図６】本発明による図１のプロバイダ設備を操作する手順の流れ図。
【図７】本発明の一実施態様による図１のプロバイダ設備を操作する手順の流れ図。
【図８】本発明の一実施態様による図１のプロバイダ設備を操作する手順の流れ図。
【図９】本発明の一実施態様による呼設定手順のブロック図。
【図１０】本発明の一実施態様による呼設定手順のブロック図。
【図１】
2006042348.tif 000004
【図２】
2006042348.tif 000005
【図３】
2006042348.tif 000006
【図４】
2006042348.tif 000007
【図５】
2006042348.tif 000008
【図６】
2006042348.tif 000009
【図７】
2006042348.tif 000010
【図８】
2006042348.tif 000011
【図９】
2006042348.tif 000012
【図１０】
2006042348.tif 000013
【外国語明細書】
2006042348.tif 000014
2006042348.tif 000015
2006042348.tif 000016
2006042348.tif 000017
2006042348.tif 000018
2006042348.tif 000019
2006042348.tif 000020
2006042348.tif 000021
2006042348.tif 000022
2006042348.tif 000023
2006042348.tif 000024
2006042348.tif 000025
2006042348.tif 000026
2006042348.tif 000027
2006042348.tif 000028
2006042348.tif 000029
2006042348.tif 000030
2006042348.tif 000031
2006042348.tif 000032
2006042348.tif 000033
2006042348.tif 000034
2006042348.tif 000035
2006042348.tif 000036
2006042348.tif 000037
2006042348.tif 000038
2006042348.tif 000039
2006042348.tif 000040